(57)【要約】【課題】  貼付操作性に優れる貼付製剤を提供すること。【解決手段】  貼付製剤１０は、支持層１、粘着剤層３、セパレータ５がこの順序で積層されている。貼付製剤１０は、平面形状が略方形である。セパレータ５は、略方形の隣接する角部（Ａ１、Ａ２）を始点及び終点とする略波状の分割線７により２片に分割されている。セパレータ５は、分割線７のセパレータ５中央側で隣接する頂点（Ｂ１、Ｂ２）間に破線状の切れ目９を有する。【選択図】  図１
2006130085.tif 000002
【特許請求の範囲】
【請求項１】
支持層、粘着剤層、セパレータがこの順序で積層され、平面形状が略方形である貼付製剤であって、
前記セパレータは、前記略方形の隣接する角部を始点及び終点とする略波状の分割線により２片に分割されており、
前記分割線の前記セパレータ中央側で隣接する頂点間に破線状の切れ目を有する、貼付製剤。
【請求項２】
前記切れ目が切断部と非切断部とを有しており、
前記切断部の長さが５〜３０ｍｍであり、かつ前記非切断部の長さが０．２〜２ｍｍである、請求項１記載の貼付製剤。
【請求項３】
前記分割線のセパレータ外周側の頂点からセパレータの外周辺までの最短距離が１〜３０ｍｍである、請求項１又は２記載の貼付製剤。
【請求項４】
前記略方形が略長方形である、請求項１〜３のいずれか一項に記載の貼付製剤。
【発明の詳細な説明】
【技術分野】
【０００１】
本発明は皮膚貼付時において操作性に優れる貼付製剤に関し、詳しくはセパレータの形状の改良により貼付操作を極めて容易に行うことができる貼付製剤に関するものである。
【背景技術】
【０００２】
疾病の治療、予防又は検査を目的として使用される貼付製剤は、皮膚に適用するまで粘着基材表面がセパレータで保護されているのが通例である。セパレータは、紙、合成樹脂フィルム、金属箔又はこれらの積層物の表面に適当な離型処理を施したものが多く用いられている。また、セパレータは、貼付製剤の形状、サイズ、構成によって貼付製剤を適用部位により貼り易くするために、適当な形状の分割線により２片又は３片に分割する方法が実施或いは提案されている。
【０００３】
例えば、セパレータをほぼ二等分又は異なる面積比率で二分する直線状の分割線を有する製剤（特許文献１）、セパレータを略二等分する破線状の分割線を有する製剤（特許文献２）、セパレータを三分割する略平行な直線状又は破線状の分割線を有する製剤（特許文献３）等が提案されているが、これらの製剤はそれぞれ使用に際して以下のように取扱いが困難になる場合がある。
【０００４】
すなわち、特許文献１で提案され、実用化された貼付製剤にも応用されている、セパレータを２分割する直線状の分割線を有する製剤は、まず背切線によって分割された一方のセパレータ片を内側端から剥離して露出した粘着剤面を皮膚表面に貼付した後、他方のセパレータ片を内側端から徐々に滑らすように外側端に向かって剥離しながら、露出した粘着剤面を皮膚表面に貼付するものである。しかしながら、かかる製剤は、支持体が柔軟で腰がない場合に貼付操作時に製剤が折れ曲がって粘着剤面同士が貼り付いたり、粘着剤面が未剥離のセパレータに貼り付いてしまったりして、正しく貼付できないことがある。
【０００５】
特許文献２で提案されている、セパレータを略二等分する波線状の分割線を有する製剤は、セパレータの切れ目の識別性が高く、また少し折り曲げるだけで波線部が突き出るため、直線状の分割線で二分された製剤よりも取扱性に優れるものであるが、特許文献１に記載の製剤と同様の不具合が生ずる場合がある。
【０００６】
また、特許文献３で提案されている、セパレータを略平行に三分割する直線状又は波線状の分割線を有する製剤は、まず分割された中央のセパレータ片を剥離して露出した中央部の粘着剤面を皮膚表面に貼り付け、続いて両側のセパレータ片を内側端から徐々に滑らすように外側端に向かって剥離しながら、露出した粘着剤面を皮膚表面に貼付するものであるため、操作性が向上している。しかしながら、かかる製剤においては、中央のセパレータ片を剥離した後、未剥離のセパレータを把持して貼付しようとすると、支持体が柔軟であればあるほど製剤が折れ曲がって粘着剤面同士が貼り付いたり、粘着剤面が未剥離のセパレータに貼り付いたりして正しく貼付できない場合がある。したがって、特許文献３に記載の製剤では、製剤を上手く貼付するためには両手を使用する必要があり、着衣の状態で肩や腰に貼付するのは極めて困難である。
【特許文献１】特開昭５９−１４１９４３号公報
【特許文献２】特開平１０−２６５３７２号公報
【特許文献３】国際公開第００／６９４２２号パンフレット
【発明の開示】
【発明が解決しようとする課題】
【０００７】
本発明はこのような実情に鑑みなされたものであり、その解決しようとする課題は貼付操作性に優れる貼付製剤を提供することにある。
【課題を解決するための手段】
【０００８】
本発明者は上記課題を解決することを目的として鋭意検討を重ねた結果、略波状の分割線により２片に分割され、その分割線の頂点間に破線状の切れ目を有するセパレータを備える貼付製剤とすることで、片手で把持や貼付操作が可能になり肩や腰等に極めて容易に貼付できることを見出し、本発明を完成するに至った。
【０００９】
即ち、本発明は以下の通りである。
（１）支持層、粘着剤層、セパレータがこの順序で積層され、平面形状が略方形である貼付製剤であって、上記セパレータは、上記略方形の隣接する角部を始点及び終点とする略波状の分割線により２片に分割されており、上記分割線の上記セパレータ中央側で隣接する頂点間に破線状の切れ目を有する、貼付製剤。
（２）上記切れ目が切断部と非切断部とを有しており、上記切断部の長さが５〜３０ｍｍであり、かつ上記非切断部の長さが０．２〜２ｍｍである、上記（１）記載の貼付製剤。
（３）上記分割線のセパレータ外周側の頂点からセパレータの外周辺までの最短距離が１〜３０ｍｍである、上記（１）又は（２）記載の貼付製剤。
（４）上記略方形が略長方形である、上記（１）〜（３）のいずれか一に記載の貼付製剤。
【発明の効果】
【００１０】
本発明の貼付製剤は、支持層、粘着剤層、セパレータがこの順序で積層され、平面形状が略方形である貼付製剤であって、このセパレータが略方形の隣接する角部を始点及び終点とする略波状の分割線により２片に分割されており、分割線のセパレータ中央側で隣接する頂点間に破線状の切れ目を有することを特徴とするため、貼付操作時に粘着剤面同士や粘着剤面と未剥離のセパレータとが不用意に貼り付くことなく片手で操作することができる。さらに、セパレータの剥離も極めてスムーズに行うことも可能である。したがって、本発明の貼付製剤によれば、一連の貼付操作性に優れた貼付製剤を提供することができる。
【発明を実施するための最良の形態】
【００１１】
以下、本発明に係る貼付製剤の好適な実施形態について詳細に説明する。なお、図面の説明において同一の要素には同一の符号を付し、重複する説明を省略する。また、図示の便宜上、図面の寸法比率は説明のものと必ずしも一致しない。
【００１２】
図１は、本実施形態に係る貼付製剤の平面図である。図２は、図１に示す貼付製剤のＩ−Ｉ線に沿ってとられた断面図である。貼付製剤１０は、支持層１、粘着剤層３及びセパレータ５がこの順序で積層された形態を有し、セパレータ５が以下に詳述する特徴的な構造を有するものである。
【００１３】
貼付製剤１０の平面形状は略方形であるが、略方形としては略正方形、略長方形、菱形、台形等が挙げられる。なかでも、貼付製剤１０の平面形状としては、本発明の効果が特に得やすい点で略長方形（例えば、長方形、その４角に丸みを持たせた形状）が好ましい。ここで、「略方形」とは、図１に示すように角部に丸みを持たせた形状をも包含する概念である。なお、「角部」とは、略方形中の２辺が接合して形成される先端部だけでなく、該先端部に丸みを持たせた場合の円弧部分をも包含する概念である。
【００１４】
貼付製剤１０のサイズとしては、短辺Ｓは２０ｍｍ〜１５０ｍｍが好ましく、４０ｍｍ〜１２０ｍｍがさらに好ましい。他方、長辺Ｌは４０ｍｍ〜３００ｍｍが好ましく、８０ｍｍ〜２５０ｍｍがさらに好ましい。短辺Ｓが２０ｍｍ未満及び／又は長辺Ｌが４０ｍｍ以上である場合には、貼付製剤全体が小型であるため片手で容易に操作することが困難となり、またかなり細長い貼付製剤となるため取扱い難くなる傾向にある。他方、短辺Ｓが１５０ｍｍ超及び／又は長辺Ｌが３００ｍｍ超である場合には、製剤全体が不必要に大きくなるか、或いはかなり細長い貼付製剤となり、それ自体の取扱いが困難となる傾向にある。
【００１５】
また、貼付製剤１０の４つの角部は、必要に応じて適当な曲率半径の円弧部分を設けてもよく、その曲率半径は１〜１５ｍｍが好ましく、３〜１２ｍｍがさらに好ましい。曲率半径が１ｍｍ未満の場合には丸みを持たせない場合と大きな差がないため円弧を形成する意味が乏しく、１５ｍｍを超えると製剤特性上の意義がなく、製造上の歩留まりが低下して経済的に不利になる傾向にある。
【００１６】
貼付製剤１０のセパレータ５は、図１に示すように貼付製剤１０の外周の短辺Ｓに形成される、隣り合う２つの角部Ａ１、Ａ２を始点及び終点とする略波状の分割線７で２片に分割されている。なお、分割線７の形状としては、セパレータ５の１片を剥離した後に露出する粘着剤面が実質的に皮膚に貼付可能であれば特に限定されない。分割線７の形状としては、例えば、正弦波等の三角関数における曲線、２次関数等のｎ次関数における曲線、指数関数における曲線、対数関数における曲線、半円弧又は半楕円弧で形成される周期的曲線、半円弧又は半楕円弧と適当な長さの直線とで形成される周期的波線を挙げることができ、必要に応じてこれらを組み合わせてもよい。なかでも、三角関数における曲線、半円弧又は半楕円弧で形成される周期的曲線、半円弧又は半楕円弧と適当な長さの直線とで形成される周期的波線が好ましく用いられる。
【００１７】
分割線７は、セパレータ５の外周側（例えば、短辺Ｓ側）に１つ以上の頂点（例えば、Ｃ）、セパレータ５の中央側に２つ以上の頂点（例えば、Ｂ１、Ｂ２）を有する。分割線７の短辺Ｓ側の頂点数は１〜５が好ましく、１〜３がさらに好ましい。他方、分割線７の中央側の頂点数は２〜６が好ましく、２〜４がさらに好ましい。中央側の頂点数が６を超えると、初期貼付時の皮膚接着力を十分得るために粘着剤層３の露出面積を確保する必要があり、そのためには非常に振幅の大きな波状にすることが避けられない。このため、中央側の頂点間（例えば、Ｂ１−Ｂ２間）に適切な破線状の切れ目９を形成することが困難になり、操作性も低下する傾向にある。
【００１８】
また、分割線７の振幅Ｈは、１０〜７０ｍｍが好ましく、２０〜６０ｍｍがさらに好ましい。振幅Ｈが１０ｍｍ未満であると皮膚面に貼付する際に充分な皮膚接着力を確保するための粘着剤層３の露出面が充分に得られず、また残りの未剥離のセパレータも剥がし難くなる傾向にあり、７０ｍｍを超えると残りの未剥離のセパレータの長辺部付近がきれいに剥がれず皮膚面に良好に貼付し難くなる傾向にある。
【００１９】
貼付製剤１０のセパレータ５の一片を剥離した後の操作中に、貼付製剤１０が折れ曲がって粘着剤面同士又は粘着剤面と未剥離のセパレータとが貼り付いてしまうのを抑制するために、分割線７のセパレータ外周側の頂点Ｃからセパレータの外周辺（短辺Ｓ）までの最短距離を十分に短くする必要がある。かかる観点から、分割線７の頂点Ｃから短辺Ｓまでの最短距離Ｄは、１〜３０ｍｍが好ましく、２〜２０ｍｍがさらに好ましい。この最短距離Ｄが１ｍｍ未満であると、本発明の目的を十分に達成することができず、また製造上も困難を伴う傾向にある。他方、最短距離Ｄが３０ｍｍを超えると、貼付操作中に貼付製剤１０が折れ曲がって粘着剤面同士又は粘着剤面と未剥離のセパレータとが貼り付いてしまって本発明の意図する効果が発揮されない傾向にある。
【００２０】
貼付製剤１０は、セパレータ５の一片を剥離した後、片手で未剥離のセパレータを把持して露出した粘着剤面を貼付部位に貼付し、次いで未剥離のセパレータを剥離することで全体の貼付が完了される。未剥離のセパレータをより剥がしやすくすることを目的として、略波状の分割線７の中央側の頂点間には、破線状の切れ目９を有することが好ましい。これにより、未剥離のセパレータがほどよく容易に折れ曲がって指で掴みやすくなるため、未剥離のセパレータを良好に剥離することができる。
【００２１】
破線状の切れ目９は、切断部Ｅ及び非切断部Ｆを有している。切れ目９は、分割線７の中央側の複数の頂点間（例えば、Ｂ１−Ｂ２間）に直線状に形成されることが好ましい。切断部Ｅの長さは、５〜３０ｍｍが好ましく、８〜２５ｍｍがさらに好ましい。他方、非切断部Ｆの長さは、０．２〜２ｍｍが好ましく、０．５〜１．５ｍｍがさらに好ましい。切断部Ｅ及び非切断部Ｆの長さは、貼付製剤１０のサイズ、波状分割線７の形状に応じて適宜設定される。切断部Ｅの長さが５ｍｍ未満である場合には、非切断部Ｆの幅をかなり狭くないと、ほどよく容易に折れ曲がる状態にするのが困難であり加工も煩雑になる。他方、切断部Ｅの長さが３０ｍｍを超えると、未剥離のセパレータの剥離時に不均一な力がかかって正しく貼付できなかったり、非切断部Ｆが破断したりする虞もある。また、非切断部Ｆの長さが０．２ｍｍ未満である場合には、未剥離のセパレータの剥離時に非切断部Ｆが破断して正しく貼付できないだけでなく、加工も非常に困難になる傾向にある。他方、非切断部Ｆの長さが２ｍｍを超えると、硬すぎてほどよく容易に折れ曲がる状態にするのが困難になる傾向にある。
【００２２】
貼付製剤１０のセパレータ５の材質は、使用時に粘着剤層３から容易に剥離され、かつ貼付時の操作性が良好なものであれば特に限定されない。具体的には、粘着剤層３との接触面にシリコーン処理が施された、ポリエステル、ポリ塩化ビニル、ポリ塩化ビニリデン、ポリエチレンテレフタレート等のフィルム、上質紙又はグラシン紙とポリオレフィンとのラミネートフィルム等が挙げられる。なかでも、ポリエチレンテレフタレートフィルムを用いた場合には、本発明の効果が十分に発揮される。セパレータ５の厚みは、通常５００μｍ以下、好ましくは２０〜２００μｍであるが、貼付時の操作性の点から３０〜１００μｍがさらに好ましい。セパレータ３の厚みが２０μｍ未満であると、コシが弱くなって貼付時の操作性に問題が生ずる場合がある。また、５００μｍを超えると、硬過ぎたり、嵩高過ぎたりして、貼付時の操作性に問題が生ずる場合がある。
【００２３】
支持層１は、本発明の意図からして、柔軟性を有するほど高い効果が期待できるが、その材質等について特に限定されない。支持層１としては、具体的には、ポリエチレンテレフタレート等のポリエステル、ナイロン等のポリアミド、ポリエチレン、ポリプロピレン等のポリオレフィン、ポリ塩化ビニル、可塑化ポリ塩化ビニル、可塑化酢酸ビニル−塩化ビニル共重合体、ポリ塩化ビニリデン、エチレン−酢酸ビニル共重合体、酢酸セルロース、エチルセルロース、エチレン−アクリル酸エチル共重合体、ポリテトラフルオロエチレン、ポリウレタン、アイオノマー樹脂、アルミニウム箔等の金属箔等の単独フィルム又はこれらのラミネートフィルム等が挙げられる。このような材質からなる支持層１の厚みは、貼付製剤１０のソフト感を損なわない程度であればよく、通常１〜２５μｍ、好ましくは１〜１５μｍである。
【００２４】
また、支持層１は柔軟性や伸縮性を持たせるために、合成繊維を用いた織布、不織布、編布としてもよい。なかでも、剛軟度が低い編布の場合には、本発明の高い効果が期待できる。合成繊維の材質としては、構成成分が非浸透性で実質的な使用に支障がなければ特に限定はないが、具体的にはビスコースレーヨン、銅アンモニアレーヨン、ジアセテート、トリアセテート、プロミックス、ナイロン、ビニロン、ビニリデン、ポリ塩化ビニル、ポリエチレンテレフタレート、アクリル、ポリエチレン、ポリプロピレン、ポリオレフィン、ポリウレタン、ベンゾエート、ポリクラール等を用いることができる。このような材質からなる支持層１の厚みは、通常１００〜２，０００μｍ、好ましくは２００〜１，０００μｍである。さらに、フィルムと布帛とを積層したものを用いてもよい。
【００２５】
粘着剤層３は、従来から医療用途として用いられているアクリル系粘着剤、天然ゴム系粘着剤、合成ゴム系粘着剤、シリコーン系粘着剤、ビニルエステル系粘着剤、ビニルエーテル系粘着剤、アクリル系又はビニル系の含水性粘着剤等から構成されることが好ましいが特に限定されない。粘着剤層３の厚みは、通常５〜２，０００μｍであるが、好ましくは１０〜１，０００μｍである。
【００２６】
また、粘着剤層３には、溶解状態、分散状態又は結晶析出状態で保持され、経皮的に全身性又は局所性の薬効を発現できるものであれば、任意の薬物を保持させることができる。このような薬物としては、具体的には、コルチコステロイド類、鎮痛消炎剤、催眠鎮静剤、精神安定剤、抗高血圧剤、降圧利尿剤、抗生物質、全身麻酔剤、抗菌剤、抗真菌剤、ビタミン剤、冠血管拡張剤、抗ヒスタミン剤、鎮咳剤、性ホルモン、抗欝剤、脳循環改善剤、制吐剤、抗腫瘍剤、生体医薬、麻薬等が挙げられる。
【００２７】
貼付製剤１０は、従来公知の方法で製造することができる。例えば、粘着剤層３を形成するための高分子化合物を含有する溶液を、セパレータ５に塗布し乾燥させた後、粘着剤層３の表面に支持層１を形成するためのフィルム、布帛等を貼り合わせるか、又は上記高分子化合物を含有する溶液を、支持層１を形成するためのフィルム、布帛等に直接塗付し乾燥させた後、粘着剤層３の表面にセパレータ５を積層して、支持層１、粘着剤層３及びセパレータ５がこの順に積層されたシート状原反を得、これを貼付製剤の外枠の形状で打抜き、次いでセパレータ５の部分のみに金属刃等で略波状の分割線７と、破線状の切れ目９とを入れることで貼付製剤１０を製造することができる。
【００２８】
貼付製剤１０は、皮膚、粘膜等の表面に適用することができ、医療又は衛生材、テーピング用等に広く応用することが可能である。
【実施例】
【００２９】
以下、本発明の実施例についてさらに詳細な説明するが、本発明はこれらの実施例に限定されるものではない。
【００３０】
（実施例１）
シリコーン離型処理を施した、厚み７５μｍのポリエチレンテレフタレートフィルムに、アクリル酸／アクリル酸オクチルエステル共重合体の酢酸エチル溶液を乾燥後の厚みが８０μｍとなるように塗布乾燥した後、坪量９０ｇ／ｍ２のポリエチレンテレフタレート製編布を貼り合せてシート状原反を得た。次いで、このシート状原反を、４角に曲率半径９ｍｍの丸みを持たせた１００ｍｍ×１４０ｍｍの略長方形となるように打抜いた。そして、図３に示すように、短辺上の隣り合う２角の長辺側の丸み部の一方を始点、他方を終点とし、外周側の波線の１つの頂点から短辺までの最短距離が９ｍｍであり、振幅が５０ｍｍの２周期分の正弦波である波状分割線と、中央側の波線の２つの頂点間に切断部の長さが１５ｍｍ及び非切断部の長さが０．８ｍｍである破線状の切れ目とをセパレータのみに金属片で入れ、本発明の貼付製剤を得た。
【００３１】
（実施例２）
実施例１で得たシート状原反を、４角に曲率半径９ｍｍの丸みを持たせた１００ｍｍ×１４０ｍｍの略長方形となるように打抜いた。次いで、短辺上の隣り合う２角の長辺側の丸み部の一方を始点、他方を終点とし、外周側の波線の２つの頂点から短辺までの最短距離が９ｍｍであり、振幅が５０ｍｍの３周期分の正弦波である波状分割線と、中央側の波線の３つの頂点間に切断部の長さが８ｍｍ及び非切断部の長さが０．６ｍｍである破線状の切れ目とをセパレータのみに金属刃で入れ、本発明の貼付製剤を得た。
【００３２】
（実施例３）
実施例１で得たシート状原反を、４角に曲率半径９ｍｍの丸みを持たせた７０ｍｍ×１００ｍｍの略長方形となるように打抜いた。次いで、短辺上の隣り合う２角の長辺側の丸み部の一方を始点、他方を終点とし、外周側の波線の１つの頂点から短辺までの最短距離が９ｍｍであり、振幅が３０ｍｍの２周期分の正弦波である波状分割線と、中央側の波線の２つの頂点間に切断部の長さが８ｍｍ及び非切断部の長さが０．５ｍｍである破線状の切れ目をセパレータのみに金属刃で入れ、本発明の貼付製剤を得た。
【００３３】
（実施例４）
実施例１で得たシート状原反を、４角に曲率半径９ｍｍの丸みを持たせた７０ｍｍ×１００ｍｍの略長方形となるように打抜いた。次いで、短辺上の隣り合う２角の長辺側の丸み部の一方を始点、他方を終点とし、外周側の波線の２つの頂点から短辺までの最短距離が９ｍｍであり、振幅が３０ｍｍの３周期分の正弦波である波状分割線と、中央側の波線の３つの頂点間に切断部長さが６ｍｍ及び非切断部長さが０．５ｍｍである破線状の切れ目とをセパレータのみに金属刃で入れ、本発明の貼付製剤を得た。
【００３４】
（実施例５）
実施例１で得たシート状原反を、４角に曲率半径９ｍｍの丸みを持たせた１００ｍｍ×１４０ｍｍの略長方形となるように打抜いた。次いで、振幅が５０ｍｍで２周期分の正弦波を、その中心に位置する外周側の１つの頂点から短辺までの最短距離が３５ｍｍとなるようにした波状分割線と、中央側の波線の２つの頂点間に切断部の長さが８ｍｍ及び非切断部の長さが０．６ｍｍである破線状の切れ目とをセパレータのみに金属刃で入れ、貼付製剤を得た。
【００３５】
（比較例１）
実施例１で得たシート状原反を、４角に曲率半径９ｍｍの丸みを持たせた１００ｍｍ×１４０ｍｍの略長方形となるように打抜いた。次いで、長辺部の中央から対辺の中央へ振幅が１０ｍｍで３周期分の正弦波分割線をセパレータのみに金属刃で入れ、セパレータが２分割された貼付製剤を得た。なお、貼付製剤を使用する際には、初めに一方のセパレータを剥離する。
【００３６】
（比較例２）
実施例１で得たシート状原反を、４角に曲率半径９ｍｍの丸みを持たせた１００ｍｍ×１４０ｍｍの略長方形となるように打抜いた。次いで、長辺部の中央から対辺の中央へ直線状の２本の分割線を２０ｍｍ間隔でセパレータのみに金属刃で入れ、セパレータが３分割された貼付製剤を得た。なお、貼付製剤を使用する際には、初めに中央部セパレータを剥離する。
【００３７】
上記実施例１〜５及び比較例１、２で得た貼付製剤を１０人の成人を評価者とし、本人自身の腰部に対して製剤が横長になるように貼付操作を行わせ、下記の評価項目について４段階評価をした。各項目での１０人の評価点の平均値を求め、その結果を表１に示した。
【００３８】
（初めのセパレータを剥離した後の操作性）
３点  粘着剤面同士、又は粘着剤面とセパレータとが貼り付くこともなく、片手での操作が容易である。
２点  粘着剤面同士、又は粘着剤面とセパレータとが貼り付きそうになり、片手での操作がやや困難である。
１点  粘着剤面同士、又は粘着剤面とセパレータとが部分的に貼り付き、片手での操作がかなり困難である。
０点  粘着剤面同士、又は粘着剤面とセパレータとが貼り付き、貼付操作の継続が不可能である。
【００３９】
（貼り易さ及び残りのセパレータの剥がし易さ）
３点  片手で把持して容易に粘着剤面の一部を患部に貼付することができ、残りのセパレータの剥離もスムーズである。
２点  片手で把持して粘着剤面の一部を患部に貼付することができ、残りのセパレータの剥離も可能である。
１点  片手で把持して粘着剤面の一部を患部に貼付することが困難であるが、残りのセパレータの剥離は可能である。
０点  片手で把持して粘着剤の一部を患部に貼付することが困難であり、残りのセパレータの剥離も不可能である。
【００４０】
（貼付状態）
３点  皺もなく良好に貼付できる。
２点  少し皺が入るが、ほぼ良好に貼付できる。
１点  かなり皺が入り、良好に貼付できない。
０点  貼付できない。
【００４１】
（全体的な操作性）
３点  極めて操作し易い。
２点  操作し易い。
１点  やや操作し難い。
０点  操作し難い。
【００４２】
【表１】
2006130085.tif 000003
【００４３】
上記結果から、実施例１〜５の貼付製剤は貼付時の取扱い性に優れ、特に貼付操作時に粘着剤面同士や粘着剤面とセパレータとが不用意に貼り付くことなく片手で操作することができ、セパレータの剥離も極めてスムーズに行うことが可能であり、一連の貼付操作性が従来よりも改善された良好な貼付製剤であることが確認された。
【図面の簡単な説明】
【００４４】
【図１】本発明の貼付製剤の一実施形態を示す平面図である。
【図２】図１に示す貼付製剤のＩ−Ｉ線に沿ってとられた断面図である。
【図３】実施例１の貼付製剤を示す平面図である。
【符号の説明】
【００４５】
１…支持層
３…粘着剤層
５…セパレータ
７…分割線
９…切れ目
１０…貼付製剤
【図１】
2006130085.tif 000004
【図２】
2006130085.tif 000005
【図３】
2006130085.tif 000006